(57)【要約】【課題】本発明の目的は、窓の前に設置が可能で、且つキッチン使用者に心理的な圧迫感を感じさせずに多量で多種にわたる食器類の収納や水切りスペースとして使用できるキッチン用吊戸棚を提供することにある。【解決手段】本発明では、キッチン用吊戸棚において、少なくとも出窓の前面には背板を設けないことにより出窓から室内への採光を可能にすると共に、吊戸棚の備える棚部から出窓の内側に延長棚を設置することで、壁面からの出しろ寸法は小さくても十分奥行のある収納スペースを確保した。【選択図】  図２
2004148092.tif 000002
【特許請求の範囲】
【請求項１】
出窓の前面に設置するキッチン用吊戸棚であって、前記吊戸棚は複数の棚部を備えると共に、前記棚部の内少なくとも前記出窓の前面には背板を設けず、出窓から室内への採光を可能にすると共に、前記棚部に棚の奥行き方向に延長載置棚を前記棚部とは別体に設けたことを特徴とするキッチン用吊戸棚。
【請求項２】
前記吊戸棚が備える複数の棚部が前記出窓の横寸法より長く形成されたことを特徴とする請求項１記載のキッチン用吊戸棚。
【請求項３】
前記延長載置棚は、２本以上の脚部と載置棚とで形成され、前記脚部は前記棚部の後端部と嵌合する嵌合部と、奥行き方向にスライドの可能なスライド部から形成され、前記嵌合部の前記載置棚載置部とスライド部の前記載置棚載置部とが、同一平面上で形成されていることを特徴とする請求項１記載のキッチン用吊戸棚。
【請求項４】
前記延長用載置棚は、前記棚部の下面に取付けたハンガーレールと、このハンガーレールに移動可能に支持された吊車を介して取付けられていることを特徴とする請求項１記載のキッチン用吊戸棚。
【発明の詳細な説明】
【０００１】
【発明の属する技術分野】
本発明は、窓を有する壁面に取り付けられるキッチン用吊戸棚に関する発明である。
【０００２】
【従来の技術】
従来からキッチンの上部壁面を利用して吊戸棚を設置する例は多く、さらに近年の吊戸棚には乾いた食器以外にも調味料やキッチンペーパー、さらには濡れた食器やまな板の水切りスペースなど多量で多種のものを収納できる吊戸棚構造が要望されている。
また、キッチンの上部壁面には窓が設置される例が多いことから、窓部分に設置しても上記要望に応えられるものとして背板を設けない吊戸棚（例えば、特許文献１参照。）や窓の内側にハンガーレールを設置し、このハンガーレールに走行可能のラックを設けたものがあった（例えば、特許文献２参照。）。
【０００３】
【特許文献１】
特開２００２−１１９３４２号公報
【特許文献２】
特開２００２−４５２５１号公報
【０００４】
【発明が解決しようとする課題】
しかし上述した背板を設けていない吊戸棚（特許文献１）は該吊戸棚が設置される壁面に設けられた窓から採光を取ることは出来るが、前記出窓内の空間については有効活用していない。
【０００５】
また、窓の内側に設置したハンガーレールに吊下げた走行可能なラック（特許文献２）は窓の内側のスペースは活用しているが、キッチン用吊戸棚とのつながりはなく、前記吊戸棚が備える棚部と連続していないため長尺物のまな板やサイズの大きい食器などを収納するには明らかにスペースが不足していた。
【０００６】
このように従来の窓の前に設置するキッチン用吊戸棚には、窓の内側のスペースを収納スペースとして活用したものはこれまで存在しなかった。
【０００７】
さらにキッチン用吊戸棚と該吊戸棚が設置される壁面に設けられた窓との位置関係は一様に決まっているわけではなく、各現場により様々に異なってくるため窓の前に設置したキッチン吊戸棚と窓の重なる部分も各現場で異なってしまう。この点もこれまで出窓内の空間まで活用したキッチン用吊戸棚の発明を阻害してきた要因と考えられる。
【０００８】
本発明は、上記問題を解決するためになされたもので、本発明の目的は、キッチン用吊戸棚が備える棚部を前記吊戸棚が重なる窓内の空間にまで延長することで、キッチン使用者に心理的な圧迫感を感じさせずに多量で多種にわたる食器類の収納や水切りスペースとして使用できるキッチン用吊戸棚を提供することにある。
【０００９】
【課題を解決するための手段および効果】
上記目的を達成するために請求項１記載のキッチン用吊戸棚は、出窓の前面に設置するキッチン用吊戸棚であって、吊戸棚は複数の棚部を備えると共に、棚部の内少なくとも出窓の前面には背板を設けず、出窓から室内への採光を可能にすると共に、棚部に棚の奥行き方向に延長載置棚を棚部とは別体に設けた。
【００１０】
この発明によれば、吊戸棚の設置壁面からの出しろをキッチン使用者に対し圧迫感を感じさせない小さい寸法に設定しても、出窓内に延長棚を設置することで収納スペースとして十分な奥行寸法を確保することが出来る。
【００１１】
請求項２記載の発明は、請求項１記載の発明において、吊戸棚が備える複数の棚部が出窓の横寸法より長く形成したことを特徴とした。
【００１２】
この発明によれば、請求項１記載の発明の効果に加え、出窓内のスペースを全て収納スペースとして活用することが可能である。
【００１３】
請求項３記載の発明は、請求項１記載の発明において、延長載置棚が２本以上の脚部と載置棚とで形成され、脚部は棚部の後端部と嵌合する嵌合部と、奥行き方向にスライドの可能なスライド部から形成され、嵌合部の載置棚載置部とスライド部の載置棚載置部とが、同一平面上で形成されていることを特徴とした。
【００１４】
この発明によれば、吊戸棚が設置される壁面に設けられた窓と棚部が横方向のどの位置で重なっていても、重なっている部分に脚部を嵌合し、出窓の奥行き寸法に合わせて脚部のスライド部をスライドさせることにより、窓内の寸法に合わせた延長載置棚を設置することが可能である。
【００１５】
請求項４記載の発明は、請求項１記載の発明において、延長用載置棚が棚部の下面に取付けたハンガーレールと、このハンガーレールに移動可能に支持された吊車を介して取付けられていることを特徴とした。
【００１６】
この発明によれば、延長載置棚に調味料など調理作業で頻繁に使用するものを収納した際、シンク側からコンロ近くまで作業の状況に応じて延長載置棚ごと使い勝手の良い場所に移動することができる。
【００１７】
また、延長載置棚を例えばトレー状にすれば、延長載置棚を下面に取付けた棚部に醤油など液体の調味料や水の入った花瓶等を置いた際、万一調味料や花瓶等が倒れたとしてもトレー状の延長載置棚で液体も受け止めることが出来、さらに棚部を水切り棚として使用した際には水受けトレーとして使用することも可能である。
【００１８】
【発明の実施の形態】
以下、本発明の実施例を図面に基づいて説明する。図１は本発明の第１実施形態に係るキッチン用吊戸棚が設置されたキッチンの正面図、図２は図１における吊戸棚構造と出窓の位置関係をより分かりやすく示すための斜視図、図３、図１０は同じく第１実施形態に係るキッチン用吊戸棚の側面断面図、図４はキッチン用吊戸棚の棚部と延長載置棚の設置要領を示す斜視図、図５は同じく棚部と延長載置棚の嵌合状態を示す側面図、図６は本発明の第２実施形態に係る正面図、図７は本発明の第３実施形態に係るキッチン用吊戸棚が設置されたキッチンの正面図、図８は同じく第３実施形態に係るキッチン用吊戸棚の側面断面図、図９も同じく第３実施形態における棚部と延長載置棚の設置要領を示す斜視図である。
【００１９】
図１において、キッチンＫにはキッチンカウンター１が配置されており、該キッチンカウンター１の上面にはシンク２、水栓３等が配設され、下方にはベースキャビネット４が配設されている。前記キッチンカウンター１のシンク２上方の壁面６には出窓５が設けられており、該出窓５の前側には吊戸棚Ｔが配設されている。
【００２０】
この吊戸棚Ｔは、家庭の台所の垂直壁面６等に固定的に取付けられるもので、内部には複数の棚を備え、背面となる背板Ｔａによって遮蔽されて箱状に形成された収納部Ｙ１と背板Ｔａが開放されると共に奥行き寸法を小さくした収納部Ｙ２で構成されている。このように収納部Ｙ２を背板の設けない構成としたことで出窓５の前側に吊戸棚Ｔを配設しても採光を十分に確保することができる。
【００２１】
ここで、吊戸棚Ｔが内側に備える複数の棚部７は後端部の溝７ａによって出窓５と重なって設置されている範囲において出窓５の内側の奥行き方向に延長載置棚８を設置することができる。この延長載置棚８は２本以上の脚部８ａと載置棚８ｂから構成されており、先ずこの脚部８ａの有する嵌合部８ｃを前記溝７ａと嵌合させ、次に載置棚８ｂを脚部８ａに固定する。この際、脚部８ａを溝７ａに嵌合した状態においては、嵌合部の載置棚載置部８ｄと後述するスライド部の載置棚載置部８ｆは棚部７の上面７ｂと段差を生じているが、載置棚８ｂを設置することで棚部７の上面７ｂとちょうど同一平面上になる。
【００２２】
また、出窓５と棚部７がどの位置で重なったとしても、棚部の後端部には一貫して溝７ａが設けられているため、脚部８ａさらには載置棚８ｂを設置することは可能である。
【００２３】
さらに、脚部８ａは図５で示すように奥行き寸法を調整できるスライド部８ｅを有しているため、出窓５の奥行き寸法に合わせてスライド部８ｅをスライドさせ脚部８ａとスライド部８ｅをナットとネジによって固定すれば、現場ごとで様々に異なる出窓の奥行き寸法に対しても任意の奥行きまで延長載置棚８を設置することができる。
【００２４】
また、嵌合部の載置棚載置部８ｄとスライド部の載置棚載置部８ｆは同一平面上になるように形成されているため、スライド部８ｅをスライドした状態においても載置棚８ｂも同一平面上に設置することができる。
【００２５】
これにより、棚部７から出窓５の内側に連続した延長載置棚８が設置され、出窓５の内側のスペースも収納スペースとして活用することができる。
【００２６】
尚、本実施例では収納部Ｙ２は背板Ｔａが開放される構成を説明しているが、図１のＡのように出窓にかからない吊戸棚Ｔの収納部Ｙ２は背板Ｔａを形成しても良いし、前面に扉（図示せず）を取付けるようにしても構わない。さらに、扉を例えば半透明板のように採光を遮らない仕様にすれば、収納部Ｙ２の全面に扉（図示せず）を取付けるようにしても構わない。これにより収納スペースへの埃等の侵入を防ぐことが可能になるばかりか、キッチン前面から収納物が丸見えにならないため、キッチンの外観もさらに向上する。
【００２７】
また、本実施例では棚部７と延長載置棚８をものを載置できる棚として説明しているが、線材等で構成される水切り棚（図示せず）としても構わない。これにより、水切りかご等を使用せずとも濡れた食器等をそのまま収納することが可能になる。さらに、水切り棚の線材の目を粗めにすれば、食器等の水切りだけでなく布巾等を掛けることも可能になる。
【００２８】
なお、本実施例では棚部７の上面７ｂと延長載置棚８の嵌合部の載置棚載置部８ｄ、スライド部の載置棚載置部８ｆが同一平面状にくるようにしているが、図１０に示すように延長載置棚８を棚部の上面７ｂより上側になるよう設置しても構わない。
【００２９】
これにより、棚部７と延長載置棚８の間には段差による空間的な境が出来る。ここで棚部７を線材等で構成される水切り棚、延長載置棚８をアルミや木の平板で構成される棚板とすると棚部７は水切りスペース、延長載置棚８は収納スペースとして手前側と奥側のスペースを別の用途に使い分ける事も可能になる。
【００３０】
同様に、手前側と奥側のスペースを別の用途に使い分けるために延長載置棚８を棚部７より下側に設置しても構わない。
【００３１】
また、本実施例では延長載置棚８の奥行き寸法はスライド部８ｅを設けていることにより任意で調整できると説明したが、図３のように例えば最下段に設置された延長載置棚をその上段に設置した延長載置棚の奥行き寸法より長くすると、上段の延長載置棚に収納したものが、万一落下したとしても最下段の延長載置棚で受けることができる。これにより、収納物落下による被害を出窓５にまで及ぶことを防ぐことも可能になる。
【００３２】
次に、本発明の第２実施形態に係るキッチン用吊戸棚について説明する。符号Ｔ２は第２実施形態に係るキッチン用吊戸棚を示すものである。この吊戸棚Ｔ２は第１実施形態に含まれる実施形態の中でも出窓５の横寸法Ｗ５よりキッチン用吊戸棚Ｔ２が備える棚部７の横寸法Ｗ７を長く形成したことを特徴とし、明確に図示したものである。
【００３３】
これにより、出窓５の内側スペースを全て収納スペースとして活用できるばかりか、調理時に発生するコンロ側からの油煙を出窓５内側の収納スペース内へ侵入しにくくさせ、さらにはキッチンの外観も向上させることができる。尚、これ以外は前述した吊戸棚Ｔの構成部分と同一であるため、説明を省略する。
【００３４】
次に、本発明の第３実施形態に係るキッチン用吊戸棚について説明する。符号Ｔ３は第３実施形態に係るキッチン用吊戸棚を示すものである。尚、前述した吊戸棚Ｔと同一構成部分については、同一符号を付し重複する説明を省略する。
【００３５】
この吊戸棚Ｔ３が内側に備える複数の棚部７は棚部下面７ｃにハンガーレール９ａを取付けることによって延長載置棚９を設置することができる。この延長載置棚９は１個以上の吊車９ｂとこの吊車９ｂに吊下げられた枠体９ｃ、およびこの枠体９ｃに設置する載置棚９ｄから構成される。
【００３６】
前記ハンガーレール９ａは、下端に対向した水平部分９ａａを有する下向きコの字形の長尺のものであり、この水平部分９ａａを吊車９ｂに設けられている４個のローラー部９ｂａが走行する。さらにその吊車９ｂ中央下側には枠体９ｃが垂下するように取付けられ、その枠体に載置棚９ｄを設置することができる。
【００３７】
上記のように載置棚９ｄは、棚部下面７ｃに取付けられたハンガーレール９ａに走行可能な吊車９ｂを介して設置されているため、載置棚９ｄに調味料など調理作業で頻繁に使用するものを収納すると、ハンガーレール９ａの範囲においてシンク側からコンロ近くまで作業の状況に応じて載置棚９ｄごと移動することができ、効率良く作業を行なうことができる。
【００３８】
また、ハンガーレール９ａの範囲においてはどの位置においても延長載置棚は設置ができるため、出窓と重なっている範囲においては、さらに延長載置棚９と枠体９ｃの奥行き寸法を出窓の奥行き方向内側まで延長しても構わない。
【００３９】
尚、本実施例では延長載置棚９をものが載置できる棚として説明しているが、棚の四方が盛りあがっているトレー状であっても構わない（図示せず）。これにより、延長設置棚９を下面に取付けた棚部７に醤油などの液体の調味料や水の入った花瓶等を置いた際、万一調味料や花瓶が倒れたとしてもトレー状の延長載置棚９で液体を受け止め、さらに下段に設置された棚部への飛散を防止することができる。
【００４０】
同様に延長載置棚９をトレー状にすることにより、延長載置棚９を下面に取付けた棚部７を前述したような線材等で構成した水切り棚とした際には、水切り棚の水受けトレーとして使用することも可能になる。
【図面の簡単な説明】
【図１】本発明の第１実施形態に係るキッチン用吊戸棚が設置されたキッチンの正面図である。
【図２】本発明の第１実施形態に係るキッチン用吊戸棚の構造と出窓の位置関係をより分かりやすく示すための斜視図である。
【図３】本発明の第１実施形態に係るキッチン用吊戸棚の側面断面図である。
【図４】本発明の第１実施形態に係るキッチン用吊戸棚の棚部と延長載置棚の設置要領を示す斜視図である。
【図５】本発明の第１実施形態に係るキッチン用吊戸棚の棚部と延長載置棚の嵌合状態を示す側面図である。
【図６】本発明の第２実施形態に係るキッチン用吊戸棚が設置されたキッチンの正面図である。
【図７】本発明の第３実施形態に係るキッチン用吊戸棚が設置されたキッチンの正面図である。
【図８】本発明の第３実施形態に係るキッチン用吊戸棚の側面断面図である。
【図９】本発明の第３実施形態に係るキッチン用吊戸棚の棚部と延長載置棚の設置要領を示す斜視図である。
【図１０】本発明の第１実施形態に係る別実施例を示すキッチン用吊戸棚の側面断面図である。
【符号の説明】
Ｋ…キッチン
Ｔ、Ｔ２、Ｔ３…キッチン用吊戸棚
Ｔａ…背板
Ｙ１、Ｙ２、Ａ…収納部
Ｗ５…出窓の横寸法
Ｗ７…棚部の横寸法
１…キッチンカウンター
２…シンク
３…水栓
４…ベースキャビネット
５…出窓
６…壁面
７…棚部
７ａ…溝
７ｂ…棚部の上面
７ｃ…棚部の下面
８、９…延長載置棚
８ａ…脚部
８ｂ、９ｄ…載置棚
８ｃ…嵌合部
８ｄ…嵌合部の載置棚載置部
８ｅ…スライド部
８ｆ…スライド部の載置棚載置部
９ａ…ハンガーレール
９ａａ…水平部分
９ｂ…吊車
９ｂａ…ローラー部
９ｃ…枠体
【図１】
2004148092.tif 000003
【図２】
2004148092.tif 000004
【図３】
2004148092.tif 000005
【図４】
2004148092.tif 000006
【図５】
2004148092.tif 000007
【図６】
2004148092.tif 000008
【図７】
2004148092.tif 000009
【図８】
2004148092.tif 000010
【図９】
2004148092.tif 000011
【図１０】
2004148092.tif 000012